(57)【要約】【課題】はがきの送付料金でサンプルや景品を送付できる送付物内包はがきの作製方法及びこの方法によって作製されたはがきを提供する。【解決手段】はがき作製用の長方形の単位シートが中央部で折り畳まれ、折り畳まれた単位シートの内側に送付物が内包されたはがきの作製方法であって、はがき作製用の長方形の単位シートが作製される工程と、前記単位シートの折り畳まれて内側になる面の前記中央部の少なくとも片側全面に擬似接着構造が形成される工程と、前記単位シートの前記中央部に折り畳み部が形成される工程と、前記擬似接着構造面に送付物が載置される工程と、前記折り畳み部で折り畳まれて送付物内包はがき化される工程と、を含む送付物内包はがきの作製方法及びこの方法によって作製されたはがきを提供する。【選択図】  図１
2009255360.tif 000002
【特許請求の範囲】
【請求項１】
はがき作製用の長方形の単位シートが中央部で折り畳まれ、折り畳まれた単位シートの内側に送付物が内包されたはがきの作製方法であって、
はがき作製用の長方形の単位シートが作製される工程と、前記単位シートの折り畳まれて内側になる面の前記中央部の少なくとも片側全面に擬似接着構造が形成される工程と、前記単位シートの前記中央部に折り畳み部が形成される工程と、前記擬似接着構造面に送付物が載置される工程と、前記折り畳み部で折り畳まれて送付物内包はがき化される工程と、を含むことを特徴とする送付物内包はがきの作製方法。
【請求項２】
略同一形状のシートが重ね合わされ、重ね合わされたシートの内側に送付物が内包されたはがきの作製方法であって、
同一形状の長方形のはがき作製用シートが作製される工程と、
前記はがき作成用シートの少なくとも何れかのシートの、重ね合わされて内側になる面全面に擬似接着構造が形成される工程と、
前記擬似接着構造面に送付物が載置される工程と、前記擬似接着構造面が重ね合わされて送付物内包はがき化される工程と、を含むことを特徴とする送付物内包はがきの作製方法。
【請求項３】
請求項１、または、請求項２に記載の送付物内包はがきの作製方法において、
擬似接着構造は、再剥離型の接着剤又は再剥離再貼付型の接着剤であることを特徴とする送付物内包はがきの作製方法。
【請求項４】
請求項１〜３何れかに記載の送付物内包はがきの作製方法によって作製された送付物内包はがき。
【発明の詳細な説明】
【技術分野】
【０００１】
本発明は、送付物が内包された送付物内包はがきの作製方法及びこの方法によって作製された送付物内包はがきに関する。
【背景技術】
【０００２】
従来、はがきが規定重量に満たないために、補助シートを貼付してはがきとして使用する「葉書シート」が提供されている（特許文献１参照）。
また、封筒の片面に透明な材料を使用し、配送物が一見して判るようにした「内容物透視封筒」が提供されている（特許文献２参照）。
【０００３】
【特許文献１】特開平９−２０７４７５号公報
【特許文献２】特開２００６−２２４９７１号公報
【発明の開示】
【発明が解決しようとする課題】
【０００４】
前述の特許文献１に記載の「葉書シート」は、葉書シートに使用される基材が何らかの理由で定められた葉書の重量に至らなかった場合に適用される手段であって、用途はあくまでも単なる葉書である。
また、特許文献２に記載の「内容物透視封筒」は、宅配便などに使用される封筒で、受け取った者が即座に内容物を確認できることが特徴であるという。
【０００５】
そこで、本発明は、はがきの送付料金でサンプルや景品を送付できる送付物内包はがきの作製方法及びこの方法によって作製された送付物内包はがきを提供するものである。
【課題を解決するための手段】
【０００６】
前記課題の目的を達成するために、本発明の送付物内包はがきの作製方法の第一の発明は、はがき作製用の長方形の単位シートが中央部で折り畳まれ、折り畳まれた単位シートの内側に送付物が内包されたはがきの作製方法であって、はがき作製用の長方形の単位シートが作製される工程と、前記単位シートの折り畳まれて内側になる面の前記中央部の少なくとも片側全面に擬似接着構造が形成される工程と、前記単位シートの前記中央部に折り畳み部が形成される工程と、前記擬似接着構造面に送付物が載置される工程と、前記折り畳み部で折り畳まれて送付物内包はがき化される工程と、を含むことを特徴とするものである。
【０００７】
また、第二の発明は、略同一形状のシートが重ね合わされ、重ね合わされたシートの内側に送付物が内包されたはがきの作製方法であって、同一形状の長方形のはがき作製用シートが作製される工程と、前記はがき作成用シートの少なくとも何れかのシートの、重ね合わされて内側になる面全面に擬似接着構造が形成される工程と、前記擬似接着構造面に送付物が載置される工程と、前記擬似接着構造面が重ね合わされて送付物内包はがき化される工程と、を含むことを特徴とするものである。
【０００８】
また、第三の発明は、第一、または、第二の発明において、擬似接着構造は、再剥離型の接着剤又は再剥離再貼付型の接着剤であることを特徴とするものである。
【０００９】
また、第四の発明のはがきは、第一〜第三何れかの発明の送付物内包はがきの作製方法によって作製された送付物内包はがきである。
【発明の効果】
【００１０】
１）第一の発明のように、はがき作製用の長方形の単位シートが中央部で折り畳まれ、折り畳まれた単位シートの内側に送付物が内包されたはがきの作製方法であって、はがき作製用の長方形の単位シートが作製される工程と、前記単位シートの折り畳まれて内側になる面の前記中央部の少なくとも片側全面に擬似接着構造が形成される工程と、前記単位シートの前記中央部に折り畳み部が形成される工程と、前記擬似接着構造面に送付物が載置される工程と、前記折り畳み部で折り畳まれて送付物内包はがき化される工程と、を含む送付物内包はがきの作製方法及び前記作製方法による送付物内包はがきによって、平坦なシート状の送付物や、植物の種子などをはがきの送付料金内で送付することができ、さらに、通信文も同時に送付することができる。
２）第二の発明のように、略同一形状のシートが重ね合わされ、重ね合わされたシートの内側に送付物が内包されたはがきの作製方法であって、同一形状の長方形のはがき作製用シートが作製される工程と、前記はがき作成用シートの少なくとも何れかのシートの、重ね合わされて内側になる面全面に擬似接着構造が形成される工程と、前記擬似接着構造面に送付物が載置される工程と、前記擬似接着構造面が重ね合わされて送付物内包はがき化される工程と、を含む送付物内包はがきの作製方法及び前記作製方法による「送付物内包はがき」によって、平坦なシート状の送付物や、植物の種子などを「はがき」の送付料金内で送付することができ、さらに、通信文も同時に送付することができる。
３）第三の発明のように、第一、または、第二の発明において、擬似接着構造は、再剥離型の接着剤又は再剥離再貼付型の接着剤であることによって、「送付物内包はがき」を受け取った者は基材を剥がして送付物を安全に取り出して使用することができる。
【発明を実施するための最良の形態】
【００１１】
以下、図面を参照して本発明の送付物内包はがきの作製方法及びこの方法によって作製された送付物内包はがきについて説明する。
図１は、本発明の送付物内包はがきの「はがきシート」の一例についての説明図，図２は、図１の裏側の一例についての説明図，図３は、送付物内包はがきの「はがきシート」の中央部で折り畳んで送付物内包はがきを作成する作製方法の一工程の説明図，図４は、図３においてはがきシート基材の間に送付物が載置された状態について説明するための断面図，図５は、図４の状態から上下はがきシート基材を圧着することによって送付物を内包したはがきを作製する手順について説明するための断面図，図６は、本発明の送付物内包はがきを、はがきシートを重ね合わせる方式で作製する作製方法の一例について説明するための図，である。
【００１２】
先ず、図１，図２を参照して送付物内包はがきの「はがき作製用の長方形の単位シート」を連続フォームの形態で作成し、前記単位シートの中央部で折り畳んで「送付物内包はがき」を作製する方法及びこの方法によって作製された「送付物内包はがき」について説明する。
【００１３】
連続フォーム形態で単位はがきシートを作製するために、巻き取り状の用紙を印刷機にセットし、表裏の図柄や、文字等を印刷する。
その際に、後工程で行われる擬似接着構造を形成するための、および、プリンタによる宛先情報１１０をプリントするための、スプロケットホール部３（送り孔部ともいう）を形成する。図示しないが、スプロケットホール部３と、はがきシート本体の間には破線で示す切取りマーク、または、ミシン目状の切りこみを形成する。
【００１４】
図１に示す単位はがきシート（以下単にはがきシートともいう）１は、中央部で折り畳んで送付物を挟み込む仕様になっており、左側の片面は、宛先情報１１０を表示するための宛先表示面１１になっており、右側の片面は、はがきになった後の裏面になっている。
宛先情報１１０は、プリンタによって印字される。はがきの裏面に通信文をプリントしたい場合は、表の宛先情報１１０を印字する際に一緒に印字する。
【００１５】
図２に示すはがきシート１の裏側は、全面が擬似接着構造形成面になっており、送付物載置用マーク２０が印刷されている。擬似接着構造を実現するための擬似接着構造６は、はがきシート１の裏側全面（１ｂ及び１ａ）に形成されても、はがきシート１の裏側の何れか片側（１ｂ又は１ａ）に形成されてもよい。
送付物が載置されるはがきシートの裏側の片側１ｂ又は１ａ、または、送付物が載置されるはがきシートの貼り合わせ面１２（１ｂ及び１ａ）には送付物に関する説明情報１２０が印刷されている。
【００１６】
ここで、図３を一部参照して、送付物内包はがきの「はがきシート」を中央部で折り畳んで送付物内包はがきを作製する送付物内包はがきの作製方法について説明する。
先ず、はがき作製用の長方形の単位シートを作製する。この工程では、連続フォームの形態で作製する方法と、単位シートが一以上面付けされたシートの形態で作製する方法がある。次に、前記単位シートの折り畳まれて内側になる面の前記中央部の片側紙片１ｂ面、または、１ｂ，１ａ両面に擬似接着構造６を形成する。次いで、前記単位シートの前記中央部に、折り畳み易いように筋押し又はミシン目状切込みによる折り畳み部（図示せず）を形成する。
前記擬似接着構造６の表面に送付物を載置する。最後に送付物を内包するように１ｂ紙片と１ａ紙片を重ね合わせてはがき化する。はがきシートには事前に宛先情報１１０がプリントされる。
【００１７】
図４を参照して、図３においてはがきシート基材の間に送付物が載置された状態について説明する。
中央部で連接されたはがきシート基材１０の紙片１ａ，１ｂを中央部で折り畳むと、図に示すように送付物２を内包する送付物内包はがき化直前状態になる。
はがきシート基材１０の紙片１ａ，１ｂの対向面間には擬似接着構造が形成されており、加圧することによって再剥離可能に擬似接着した状態になる。
擬似接着構造を実現する接着剤は、再剥離型の接着剤及び再剥離再貼付型の接着剤の何れかから選択して使用する。
再剥離再貼付型の接着剤を使用する場合は、はがきシート基材の紙片１ａ，１ｂの何れかに形成し、その粘着強度は自由に調整して使用する。例えば、粘着性を高める必要がある場合は、図示しないが送付物を載置する直前まで剥離シートで接着面を保護してそれ以前の作業を進めることができる。
【００１８】
図４に示す状態で紙片１ａ，１ｂ両側から加圧し、図５に示す送付物内包はがきを得ることができる。
図でわかるように、送付物２は、擬似接着構造で周囲を包み込まれ、紙片１ａ，１ｂが一体化される厚さであることが好ましい。
図では加圧されて一体化された状態ではがき全体が同じ厚さになっているが、送付物の上下は多少膨らんでいてもよい。
郵便物の規定を満足させるために、「送付物内包はがき」は、送付物を内包した状態で２ｇ〜６ｇの範囲に入るように、擬似接着構造を含むはがきシート基材１０及び送付物の重さを選定する。
【００１９】
送付物内包はがきを受け取った者は、はがきの厚さ方向センター部分、接着剤の合わせ目（図示せず）からはがき基材を再剥離させて、送付物を取り出す。
擬似接着構造の接着剤の強度が強い場合や、送付物の包装材の表面強度が弱い場合は、送付物の片側に剥離剤が形成されているので、送付物を破壊することなくはがきの貼り合わせ面から取り出すことができる。
【００２０】
図６を参照して、本発明の送付物内包はがきを、はがきシートを重ね合わせる方式で作製する作製方法の一例について説明する。
まず、図１で説明したように、連続フォーム形態で単位はがきシートを作製する。
同じ工程内で、擬似接着構造を形成するための、また、宛先情報１１０をプリントするためのスプロケットホール部３（送り孔部ともいう）を形成する。図示しないが、スプロケットホール３部と、はがきシート本体の間には破線で示す切取りマークを印刷する。切取りマークの部分は印刷でマークを形成したり、手で切除できるミシン目状の切りこみを形成することができる。
【００２１】
ａ図に示すように、はがきシート１の宛先表示面１１は、宛先情報が印字される（はがきの表になる）面と、重ね合わされて貼り合わされる面とが同一面となるように中央部７で連接されている。
ｂ図に示すように、はがきシートの中央部７で切り離し、送付物載置用マーク２０の上に送付物２を載置する。
はがきシートの中央部７で切り離す工程と送付物２を載置する工程は順序が逆になってもよい。
【００２２】
ｃ図に示すように紙片１ａと紙片１ｂを重ね合わせる。
加圧装置又は道具を使用して紙片１ａと紙片１ｂを加圧し、ｄ図に示す送付物内包はがき１００を作製する。
スプロケット部３は、前述のミシン目状切り込みによって切除するか、印刷された切取りマークの部分で鋏などを使用して切除する。
【００２３】
（材料）
図４を参照して本発明の「はがき」を作製するための材料について説明する。
はがきシート基材１０として、「送付物内包はがき」になった状態で重さが２〜６ｇ／枚となるように、８２〜１２７ｇ／ｍ2の紙、または、樹脂製のシート（合成紙や空洞含有ポリエステルフィルム等）から選択して使用する。
紙を使用する場合は、上質紙，ＯＣＲ用紙，クラフト紙，模造紙，コート紙などから選択する。
擬似接着構造６に使用する再剥離型の感圧接着剤として、例えば、微球タイプ混入の粘着剤や、硬化剤を添加した粘着剤を使用する。
擬似接着構造６に使用する再剥離再貼付型の接着剤として、ガラス転移点が低く、粘着性が強い樹脂、例えば、天然ゴム，エステル化天然ゴム，クロロプレンゴム，ポリ酢酸ビニル等の主材に、アンカー効果の高いポリメチルメタクリレートや、スチレン・ブタジエンゴム等を適宜の割合、例えば、１：３０〜１：１の重量比で混合して使用する。
剥離剤４として、ＵＶインキにシリコーンオイルを添加したものや、シリコーンアクリレートを添加したものを使用する。
接着剤５は、はがき基材１０に送付物を載置して一時的に固定可能なものであれば粘着剤でも粘着テープでもよい。送付物の表面状態によって材料を選定する。
【産業上の利用可能性】
【００２４】
送付物内包はがきとして利用できる。
【図面の簡単な説明】
【００２５】
【図１】本発明の送付物内包はがきの「はがきシート」の一例についての説明図である。
【図２】図１の裏側の一例についての説明図である。
【図３】送付物内包はがきの「はがきシート」の中央部で折り畳んで送付物内包はがきを作成する作製方法の一工程の説明図である。
【図４】図３においてはがきシート基材の間に送付物が載置された状態について説明するための断面図である。
【図５】図４の状態から上下はがきシート基材を圧着することによって送付物を内包したはがきを作製する手順について説明するための断面図である。
【図６】本発明の送付物内包はがきを、はがきシートを重ね合わせる方式で作製する作製方法の一例について説明するための図である。
【符号の説明】
【００２６】
１      はがきシート
２      送付物
３      スプロケットホール部
４      剥離剤層，剥離剤
５      接着剤層，接着剤
６      擬似接着構造
７      中央部，折り畳み部
１０    はがきシート基材
１１    宛先表示面
１２    貼り合わせ面
２０    送付物載置用マーク
１００  送付物内包はがき
１１０  宛先情報
１２０  説明情報
【図１】
2009255360.tif 000003
【図２】
2009255360.tif 000004
【図３】
2009255360.tif 000005
【図４】
2009255360.tif 000006
【図５】
2009255360.tif 000007
【図６】
2009255360.tif 000008